(57)【要約】【課題】１枚の包装材32にて片口金形ランプ用の照明器具11を包装し、包装材32の点数および使用量を削減できる包装装置31を提供する。【解決手段】照明器具11の周囲を筒状に包み込む周囲包装部41、および照明器具11の端部を覆う端部緩衝部42をそれぞれ形成する。周囲包装部41から、照明器具11を周囲包装部41に対して押える押え部64、およびランプホルダ23を保護するランプホルダ保護部69をそれぞれ形成する。これら周囲包装部41、端部緩衝部42、押え部64およびランプホルダ保護部69を、１枚の包装材32にて形成する。１枚の包装材32にて片口金形ランプ用の照明器具11を包装し、包装材32の点数および使用量を削減する。【選択図】        図１
2004203419.tif 000002
【特許請求の範囲】
【請求項１】
長手方向の一端側に片口金ソケット、他端側にランプホルダを有する片口金形ランプ用の照明器具の長手方向と交差する周囲を筒状に包み込む周囲包装部と；
周囲包装部の両端から設けられ、周囲包装部で包み込む照明器具の両端を覆う端部緩衝部と；
周囲包装部から設けられ、周囲包装部で包み込む照明器具を周囲包装部に対して押える押え部と；
周囲包装部から設けられ、周囲包装部で包み込む照明器具のランプホルダを保護するランプホルダ保護部と；
を１枚の包装材にて形成した
ことを特徴とする包装装置。
【請求項２】
長手方向の一端側に片口金ソケット、他端側にランプホルダを有する片口金形ランプ用の２台の照明器具を並べた状態で各照明器具の長手方向と交差する周囲をそれぞれ筒状に包み込む一対の包み込み部を有する周囲包装部と；
周囲包装部の両端から設けられ、周囲包装部で包み込む照明器具の両端を覆う端部緩衝部と；
周囲包装部の各包み込み部から設けられ、包み込み部で包み込む照明器具を包み込み部に対して押える押え部と；
周囲包装部の各包み込み部から設けられ、包み込み部で包み込む照明器具のランプホルダを保護するランプホルダ保護部と；
を１枚の包装材にて形成した
ことを特徴とする包装装置。
【発明の詳細な説明】
【０００１】
【発明の属する技術分野】
本発明は、片口金形ランプ用の照明器具を包装する包装装置に関する。
【０００２】
【従来の技術】
従来、直管形ランプ用の照明器具を包装する包装装置では、１枚の包装材に、照明器具の長手方向と交差する周囲を覆って包装する周囲包装部、および照明器具の両端を覆う端部緩衝部を一体に形成し、包装材の点数および使用量を削減する構造が知られている（例えば、特許文献１参照）。
【０００３】
また、片口金形ランプ用の照明器具を包装する包装装置では、直管形蛍光ランプ用の照明器具を包装する包装装置のように１枚の包装材で包装する構造は採られておらず、包装箱を用い、この包装箱内に片口金形ランプ用の照明器具を複数の緩衝材とともに収納して包装している。
【０００４】
これは、片口金形ランプ用の照明器具では、反射体の長手方向の一端側に片口金形ランプの口金を接続する片口金形ソケットが配置され、反射体の他端側に片口金形ランプの発光管の先端側を保持する板ばね製のランプホルダが突出しているため、仮に、上述した直管形ランプ用の照明器具を包装する包装装置のように１枚の包装材で包装しただけでは、包装材の内部で照明器具が動いてランプホルダが包装材の内面に当たったり、包装材の外部からランプホルダの部分に外力が加わった場合などに、ランプホルダが変形したり損傷するおそれがあることによる。
【０００５】
【特許文献１】
特開２００１−１８０７７７号公報（第４頁、図２および図３）
【０００６】
【発明が解決しようとする課題】
上述のように、片口金形ランプ用の照明器具を包装する包装装置では、包装箱や複数の緩衝材を用いて包装するため、包装材の点数が多いとともに包装材の使用量が多く、包装材の製造、運搬、梱包、開梱後の廃棄における取り扱いが煩雑になり、包装コストが高くなる問題がある。
【０００７】
本発明は、このような点に鑑みなされたもので、１枚の包装材にて片口金形ランプ用の照明器具を包装でき、包装材の点数および使用量を削減し、包装材の取り扱いを簡素化し、包装コストを低減できる包装装置を提供することを目的とする。
【０００８】
【課題を解決するための手段】
請求項１記載の包装装置は、長手方向の一端側に片口金ソケット、他端側にランプホルダを有する片口金形ランプ用の照明器具の長手方向と交差する周囲を筒状に包み込む周囲包装部と；周囲包装部の両端から設けられ、周囲包装部で包み込む照明器具の両端を覆う端部緩衝部と；周囲包装部から設けられ、周囲包装部で包み込む照明器具を周囲包装部に対して押える押え部と；周囲包装部から設けられ、周囲包装部で包み込む照明器具のランプホルダを保護するランプホルダ保護部と；を１枚の包装材にて形成したものである。
【０００９】
そして、この構成では、１枚の包装材にて、照明器具の周囲を筒状に包み込む周囲包装部、および照明器具の端部を覆う端部包装部をそれぞれ形成するとともに、周囲包装部から、照明器具を周囲包装部に対して押える押え部、およびランプホルダを保護するランプホルダ保護部をそれぞれ形成するため、１枚の包装材にて片口金形ランプ用の照明器具を包装可能で、包装材の点数および使用量が削減され、包装材の取り扱いが簡素化され、包装コストが低減される。
【００１０】
請求項２記載の包装装置は、長手方向の一端側に片口金ソケット、他端側にランプホルダを有する片口金形ランプ用の２台の照明器具を並べた状態で各照明器具の長手方向と交差する周囲をそれぞれ筒状に包み込む一対の包み込み部を有する周囲包装部と；周囲包装部の両端から設けられ、周囲包装部で包み込む照明器具の両端を覆う端部緩衝部と；周囲包装部の各包み込み部から設けられ、包み込み部で包み込む照明器具を包み込み部に対して押える押え部と；周囲包装部の各包み込み部から設けられ、包み込み部で包み込む照明器具のランプホルダを保護するランプホルダ保護部と；を１枚の包装材にて形成したものである。
【００１１】
そして、この構成では、１枚の包装材にて、２台並べた照明器具の周囲をそれぞれ包み込み部で筒状に包み込む周囲包装部、および照明器具の端部を覆う端部包装部をそれぞれ形成するとともに、周囲包装部の各包み込み部から、照明器具を周囲包装部に対して押える押え部、およびランプホルダを保護するランプホルダ保護部を形成するため、１枚の包装材にて片口金形ランプ用の照明器具を２台並べた状態で一緒に包装可能で、包装材の点数および使用量が削減され、包装材の取り扱いが簡素化され、包装コストが低減される。
【００１２】
【発明の実施の形態】
以下、本発明の一実施の形態を図面を参照して説明する。
【００１３】
図１ないし図６に第１の実施の形態を示し、図１は包装装置の分解状態の斜視図、図２は包装装置の押え部で反射体を押えた包み込み状態の断面図、図３は包装装置のランプホルダ保護部でランプホルダを保護した包み込み状態の断面図、図４は包装装置の包装途中の斜視図、図５は包装装置の包装状態の斜視図、図６は包装装置の包装材の展開図である。
【００１４】
図１ないし図３に示すように、照明器具11は、一端に口金が設けられるとともにこの口金から略Ｕ字形の発光管が突設された片口金形ランプを使用するもので、２台を組とし、長手方向に連結して使用するように構成されている。
【００１５】
各照明器具11は、長手状の器具本体12を有し、この器具本体12の一端に反射体取付台を兼用するソケット取付台13が取り付けられ、このソケット取付台13に片口金ソケット14が取り付けられ、器具本体11の他端に反射体取付台15が取り付けられている。一方の照明器具11の器具本体12には、２台の照明器具11の片口金形ランプを点灯させる点灯装置16、およびこの点灯装置16と器具本体11内に引き込まれる電源線とを接続する端子台17が配設されている。
【００１６】
器具本体12には、反射体18が被着されて図示しないねじでソケット取付台13および反射体取付台15に取付可能としている。この反射体18は、頂部反射面19および両側の傾斜した側部反射面20を有する反射面21が形成された断面略三角形のいわゆる逆富士形で、頂部反射面19の一端側に片口金ソケット14が挿通するソケット孔22が形成され、頂部反射面19の他端側には片口金形ランプの発光管の先端側を着脱可能に保持する板ばね製のランプホルダ23が突出状態に取り付けられている。
【００１７】
次に、図１ないし図６に示すように、２台の照明器具11を一緒に包装する包装装置31は、例えばダンボール材などの包装素材で形成された１枚の包装材32を有している。
【００１８】
包装材32は、２台の照明器具11の器具本体12を長手方向と交差する方向に平行に並べて配置する長手状の載置部33を有し、載置部33の長手方向と交差する方向の両側から折り目34を介して各照明器具11の外側となる一方の側面を覆う一方の側面部35が形成され、これら各側面部35から折り目36を介して照明器具11の頂部反射面19側を覆う覆い部37がそれぞれ形成され、これら各覆い部37から折り目38を介して照明器具11の内側となる他方の側面を覆う他方の側面部39がそれぞれ形成されている。これら載置部33、各一方の側面部35、各覆い部37および各他方の側面部39によって各照明器具11の長手方向と交差する周囲をそれぞれ筒状に包み込む一対の包み込み部40がそれぞれ形成され、これら包み込み部40によって周囲包装部41が形成されている。
【００１９】
また、周囲包装部41の両端には、周囲包装部41で包み込まれる各照明器具11の両端を覆う端部緩衝部42が一体に形成されている。これら端部緩衝部42は、載置部33の両端から折り目43を介して形成された外側端面部44を有し、この外側端面部44の両側から折り目45を介して一方の側面支え部46がそれぞれ形成され、これら各一方の側面支え部46から折り目47を介して内側端面部48がそれぞれ形成され、これら各内側端面部48から折り目49を介して他方の側面支え部50がそれぞれ形成され、これら各他方の側面支え部50から折り目51を介して縁部52がそれぞれ形成されている。各一方の側面支え部46、各内側端面部48、各他方の側面支え部50および各縁部52は切れ目53によって周囲包装部41から切り離されている。
【００２０】
外側端面部44の両側の各一方の側面支え部46、各内側端面部48、各他方の側面支え部50および各縁部52をそれぞれ筒状に巻き込んで各照明器具11の端部を覆う一対の筒状部54が形成され、これら一対の筒状部54によって端部緩衝部42が形成されている。
【００２１】
一対の筒状部54の他方の側面支え部50は互いに当接し、これら各他方の側面支え部50には係止片55がそれぞれ切り込み形成されており、いずれか一方の係止片55を他方の係止片55側に切り倒してその他方の係止片55が切り倒された部分に係合させることで、他方の側面支え部50を互いに係止させ、端部緩衝部42の形状を保持させることができる。
【００２２】
周囲包装部41からの内側端面部48の先端縁の長さが外側端面部44の先端縁の長さより短く、すなわち、端部緩衝部42を形成して一対の筒状部54の開口が上下方向に向くように立てた状態で、内側端面部48の高さが外側端面部44の高さより低く形成され、内側端面部48と外側端面部44との間の各側面支え部46，50の先端縁すなわち上縁とも外側端面部44側から内側端面部48側に傾斜して形成されている。
【００２３】
また、周囲包装部41の各他方の側面部39の両端と各端部緩衝部42との間には各器具本体12の両端と反射体18の両端との間に配置される緩衝材56が一体に形成されている。これら緩衝材56には、器具本体12と反射体18の端面との間に配置される端面緩衝部57と、器具本体12の各取付台13，15と反射体18の反射面21の裏面との間に配置される反射面緩衝部58とが、折り目59を介して形成されている。端面緩衝部57は折り目60によって三角形状に折曲形成され、反射面緩衝部58は折り目61によって反射体18の反射面21の形状に対応して折り曲げられる。反射面緩衝部58には開口部62が形成され、片口金ソケット14が取り付けられた側に配置される緩衝材56の開口部62には片口金ソケット14が挿通される。
【００２４】
緩衝材56と周囲包装部41の各他方の側面部39の両端および各端部緩衝部42との間には切れ目63が入れられるが、１枚の包装材32の状態では切れ目63が入れられずに連結された一部分が残され、緩衝材56の使用時にその連結部分で切り離し可能としている。
【００２５】
また、周囲包装部41の各他方の側面部39の一端側つまり照明器具11の片口金ソケット14に対応する一端側には、周囲包装部41の包み込み部40で包み込まれる照明器具11の反射体18を包み込み部40に対して押える押え部64が切り起こし可能に一体に形成されている。この押え部64は、周囲包装部41の一対の包み込み部40間で内側に隠れる部分である他方の側面部39内において覆い部37側に寄った位置に形成され、他方の側面部39の長手方向における一端側が折り目65を介して他方の側面部39に連結され、折り目65以外の周囲に切れ目66が入れられ、折り目65を介して包み込み部40の内側に切り起こし可能としている。押え部64の外形状は包み込み部40における両側面部35，39と覆い部37との内側間で保持可能な形成されており、照明器具11の反射体18側に臨む押え部64の縁部には反射体18の反射面21の形状に対応して嵌合保持する嵌合保持部67が形成されている。
【００２６】
押え部64を切り起こした覆い部37側の縁部には、一対の包み込み部40を形成した状態で互いに当接して突き合う突合せ部68が形成されている。なお、各緩衝材56を切り取った覆い部37側の縁部にも、一対の包み込み部40を形成した状態で互いに当接して突き合う突合せ部68が形成されている。
【００２７】
また、周囲包装部41の各他方の側面部39の中央近傍には、周囲包装部41の包み込み部40で包み込まれる照明器具11のランプホルダ23を保護するランプホルダ保護部69が一体に形成されている。このランプホルダ保護部69は、周囲包装部41の一対の包み込み部40間で内側に隠れる部分である他方の側面部39内において覆い部37と反対の側縁に寄った位置に形成され、他方の側面部39の長手方向に細長く、他方の側面部39との間に切れ目70が入れられているが、１枚の包装材32の状態では切れ目70が入れられずに連結された一部分が残され、ランプホルダ保護部69の使用時にその連結部分で切り離し可能としている。
【００２８】
ランプホルダ保護部69は、長手方向に間隔あけて設けられる複数の折り目71を介して略四角形筒状に形成可能とし、略四角形筒状に形成した状態で互いに重なり合う位置に係止片72がそれぞれ切り込み形成されており、いずれか一方の係止片72を他方の係止片72側に切り倒してその他方の係止片72が切り倒された部分に係合させることで互いに係止させ、略四角形筒状の形状を保持させることができる。
【００２９】
次に、包装装置31による２台の照明器具11を包装する包装動作について説明する。
【００３０】
図１および図６に示すように、展開状態の１枚の包装材32の載置部33に２台の器具本体12を並べて載置し、包装材32の四隅位置から各緩衝材56を切り離し、各緩衝材56を各器具本体12の両端の形状に合わせて成形して装着し、各器具本体12に各反射体18を被せる。これにより、器具本体12と反射体18との間に緩衝材56が介在し、反射体18の反射面21の打痕を防止できる。
【００３１】
各押え部64を包装材32から切り起こす。各ランプホルダ保護部69を包装材32から切り離し、四角形筒状に巻き込んで係止片72によって形状保持させる。この四角形筒状の各ランプホルダ保護部69を各ランプホルダ23の周囲に被せる。
【００３２】
各照明器具11が載っている載置部33の両側の各包み込み部40を各折り目34，36，38によって折り曲げながら各照明器具11をそれぞれ包み込み、各包み込み部40の先端側である他方の側面部39を両照明器具11間に差し込み、両包み込み部40の他方の側面部39を互いに接合させて一対の包み込み部40を形成する。この包み込み部40で照明器具11を包み込む際には、図２に示すように、切り起こした押え部64の嵌合保持部67を反射体18の反射面21に係合させて押え、この押え部64を包み込み部40の両側面部35，39と覆い部37との内側間で保持し、さらに、図３に示すように、包み込み部40の覆い部37でランプホルダ保護部69を反射体18との間に挟み込んで保持する。また、図４に示すように、両包み込み部40の他方の側面部39を互いに接合させて一対の包み込み部40を形成した状態では、各包み込み部40の押え部64を切り起こした覆い部37側の縁部である突合せ部68が互いに当接して突き合わされるとともに、各緩衝材56を切り取った覆い部37側の縁部である突合せ部68が互いに当接して突き合わされる。
【００３３】
包装材32の両端において、外側端面部44の両側の筒状部54を筒状に巻き込んで係止片55によって形状保持させ、端部緩衝部42を形成する。なお、この端部緩衝部42は、最初の段階など、どの段階で形成してもよい。
【００３４】
端部緩衝部42を折れ目43で折り曲げて立ち上げながら周囲包装部41の内側に差し込む。このとき、端部緩衝部42の内側端面部48側が外側端面部44側より高さが低く形成されているため、端部緩衝部42の内側端面部48側を周囲包装部41の内側に容易に差し込むことができ、差し込んで係合させた状態では端部緩衝部42の外側端面部44を周囲包装部41の内面に隙間無く密着させることができる。端部緩衝部42を周囲包装部41の内側に差し込んだ状態で、端部緩衝部42の内側端面部48が反射体18の端面に当接して各照明器具11の長手方向の位置を保持する。
【００３５】
最後に、周囲包装部41の一対の包み込み部40間および両端の端部緩衝部42にわたって接着テープである封緘テープ75を貼り付ける。このとき、周囲包装部41の一対の包み込み部40の突合せ部68が互いに当接して突き合わされているため、封緘テープ75の密着度が増し、確実に止めることができる。
【００３６】
このように、１枚の包装材32にて、２台並べた照明器具11の周囲をそれぞれ包み込み部40で筒状に包み込む周囲包装部41、および照明器具11の端部を覆う端部緩衝部42をそれぞれ形成するとともに、周囲包装部41の各包み込み部40から、照明器具11を周囲包装部41に対して押える押え部64、およびランプホルダ23を保護するランプホルダ保護部69を形成できるため、１枚の包装材32にて片口金形ランプ用の照明器具11を２台並べた状態で一緒に包装できる。そのため、包装材32の点数および使用量を削減でき、包装材32の製造、運搬、梱包、開梱後の廃棄における取り扱いを簡素化でき、包装コストを低減できる。
【００３７】
また、周囲包装部41の一対の包み込み部40間の内側に隠れる部分である他方の側面部39に押え部64およびランプホルダ保護部69を設けることにより、押え部64の切り起こし孔部分やランプホルダ保護部69の切取り部分を隠蔽できる。
【００３８】
また、図７の第２の実施の形態に示すように、包装材32の各包み込み部40に設ける押え部64は、照明器具11の長手方向の複数位置に対応して複数設けてもよく、この場合には、照明器具11の長手方向における動きを確実に規制できる。
【００３９】
また、図８の第３の実施の形態には、包装装置31で、１台の照明器具11を包装する場合を示す。この場合には、図６に示した包装材32の略半分を使用するもので、周囲包装部41として一方の包み込み部40を、端部緩衝部42として一方の筒状部54をそれぞれ使用する。
【００４０】
ただし、周囲包装部41の載置部33には筒状に巻き込んだ際に他方の側面部39の外側に重なる重なり部81を設け、他方の側面部39の押え部64の切り起こし孔部分やランプホルダ保護部69の切取り部分の隠蔽、周囲包装部41の強度の向上を図る。
【００４１】
このように、１枚の包装材32にて、１台の片口金形ランプ用の照明器具11を包装できる。また、周囲包装部41の重なり部81の内側に隠れる部分である他方の側面部39に押え部64およびランプホルダ保護部69を設けることにより、押え部64の切り起こし孔部分やランプホルダ保護部69の切取り部分を隠蔽できる。
【００４２】
なお、ランプホルダ保護部69は、包装材32から切り離す構造に限らず、押え部64と同様に、包装材32から切り起こし、周囲包装部41の包み込み部40で照明器具11を包み込む際に、ランプホルダ保護部69を筒状に巻き込んでランプホルダ23の周囲に配置するようにしてもよい。
【００４３】
【発明の効果】
請求項１記載の包装装置によれば、１枚の包装材にて、照明器具の周囲を筒状に包み込む周囲包装部、および照明器具の端部を覆う端部包装部をそれぞれ形成するとともに、周囲包装部から、照明器具を周囲包装部に対して押える押え部、およびランプホルダを保護するランプホルダ保護部をそれぞれ形成できるため、１枚の包装材にて片口金形ランプ用の照明器具を包装でき、包装材の点数および使用量を削減し、包装材の取り扱いを簡素化し、包装コストを低減できる。
【００４４】
請求項２記載の包装装置によれば、１枚の包装材にて、２台並べた照明器具の周囲をそれぞれ包み込み部で筒状に包み込む周囲包装部、および照明器具の端部を覆う端部包装部をそれぞれ形成するとともに、周囲包装部の各包み込み部から、照明器具を周囲包装部に対して押える押え部、およびランプホルダを保護するランプホルダ保護部を形成できるため、１枚の包装材にて片口金形ランプ用の照明器具を２台並べた状態で一緒に包装でき、包装材の点数および使用量を削減し、包装材の取り扱いを簡素化し、包装コストを低減できる。
【図面の簡単な説明】
【図１】本発明の第１の実施の形態を示す包装装置の分解状態の斜視図である。
【図２】同上包装装置の押え部で反射体を押えた包み込み状態の断面図である。
【図３】同上包装装置のランプホルダ保護部でランプホルダを保護した包み込み状態の断面図である。
【図４】同上包装装置の包装途中の斜視図である。
【図５】同上包装装置の包装状態の斜視図である。
【図６】同上包装装置の包装材の展開図である。
【図７】本発明の第２の実施の形態を示す包装装置の包装材の一部の展開図である。
【図８】本発明の第３の実施の形態を示す包装装置の断面図である。
【符号の説明】
11    照明器具
14    片口金ソケット
23    ランプホルダ
31    包装装置
32    包装材
40    包み込み部
41    周囲包装部
42    端部緩衝部
64    押え部
69    ランプホルダ保護部
【図１】
2004203419.tif 000003
【図２】
2004203419.tif 000004
【図３】
2004203419.tif 000005
【図４】
2004203419.tif 000006
【図５】
2004203419.tif 000007
【図６】
2004203419.tif 000008
【図７】
2004203419.tif 000009
【図８】
2004203419.tif 000010